(57)【要約】【課題】本発明は、簡単な操作により番組情報ファイルを随時更新できるとともに更新された番組情報ファイルを検索時に表示することで、検索を容易に行うことができ検索時間を短縮できる情報記録再生装置を提供することを目的とするものである。【解決手段】録画操作時又は予約録画操作時にジャンル指定画面を表示して操作者がジャンル指定情報を入力するようにし、新たなジャンル指定情報が入力されるとジャンル別の番組情報ファイルが更新処理されて、常に最新の番組情報ファイルが作成されるようにする。そして、予約確認や再生を行う場合に番組情報ファイルをジャンル別に直ちに表示されるようにする。【選択図】        図１
2004280896.tif 000002
【特許請求の範囲】
【請求項１】
所定の番組に関する映像情報、音声情報及び付加情報を記憶する記憶部と、前記番組の内容を表示する表示部と、受信された前記番組に関する映像情報、音声情報及び付加情報を前記記憶部に記憶するように制御するとともに前記記憶部から情報を読み出して前記表示部に番組の内容を表示するように制御する制御部と、操作者の操作に基づく操作情報が入力される操作情報入力部とを備えた情報記録再生装置において、前記制御部は、前記操作情報入力部からの録画指示信号又は予約録画指示信号に応答してジャンル指定画面を表示する表示手段と、前記操作情報入力部から入力されたジャンル指定情報を前記付加情報として記憶する記憶手段と、各番組のジャンル指定情報に基づき各番組の付加情報からデータを抽出して作成された番組情報ファイルを新たにジャンル指定情報が入力される毎に更新する更新手段とを備えていることを特徴とする情報記録再生装置。
【請求項２】
前記番組情報ファイルは、ジャンル別に作成されていることを特徴とする請求項１に記載の情報記録再生装置。
【請求項３】
前記記憶部は、ジャンル分類テーブルを記憶しており、前記表示手段は、ジャンル分類テーブルのデータに基づいてジャンル分類一覧を表示することを特徴とする請求項１又は２に記載の情報記録再生装置。
【請求項４】
前記ジャンル分類テーブルには、各ジャンルに対応する前記操作情報入力部からのテンキー操作情報が記憶されており、前記記憶手段は、前記操作情報入力部から入力されたテンキー操作情報に基づきジャンル分類テーブルから対応するジャンル指定信号を記憶することを特徴とする請求項３に記載の情報記録再生装置。
【請求項５】
前記制御部は、前記操作情報入力部から入力されたジャンル分類情報に基づいて前記ジャンル分類テーブルを修正する修正手段を備えていることを特徴とする請求項３又は４に記載の情報記録再生装置。
【発明の詳細な説明】
【０００１】
【発明の属する技術分野】
本発明は、ＤＶＤ、ＨＤＤ等の記録媒体を用いた情報記録再生装置であって、記録媒体に録画されるテレビ番組の検索機能を備えた情報記録再生装置に関する。
【０００２】
【従来の技術】
近年、ＤＶＤ、ＨＤＤ等の大容量の情報記録再生装置が実用化されるとともに、こうした情報記録再生装置を用いてテレビの番組等を長時間録画することが可能となっている。また、現在のＢＳ放送等の多チャンネル化や今後のデジタル方法の実用化に伴いテレビ放送のチャンネル数が飛躍的に増大することから、自分の嗜好に合ったテレビ番組をそれぞれのチャンネルについて録画予約し、後で再生して楽しむことが常態化してくると考えられる。
【０００３】
テレビ放送が多チャンネル化された環境では、まず多くのチャンネルで提供される番組の中から自分の嗜好に合った番組を見つけ出す必要がある。すなわち、多くのチャンネルでは幅広い視聴者を対象にする様々な番組が数多く提供されるため、こうした多種類で多数の番組の中から自分の見たい番組を探さなければならない。そして、探し出した番組を録画予約して記録媒体に蓄積した後今見たい番組をリストアップする必要がある。なぜなら、記録媒体には録画予約した種々のジャンルの番組が多数録画されるため、現在見たいジャンルの番組をその中から選び出して再生するからである。
【０００４】
こうした要望に対して、例えば、特許文献１では、テレビジョン放送録画中の映像信号や音声信号のレベルの値の分布の傾向や放送モードにより、録画番組のジャンルを分類し、再生時には録画した日時、チャンネル情報とともに分類したジャンル情報も表示した点が記載されている。また、特許文献２では、番組とともに伝送される電子番組ガイド（ＥＰＧ；Ｅｌｅｃｔｒｏｎｉｃ  Ｐｒｏｇｒａｍ  Ｇｕｉｄｅ）に関する番組情報を蓄積しておき、現在放送されている番組表と今後放送される番組予定表を表示できるようにして、いずれの番組表でもチャンネル条件の設定やジャンルの設定を一画面で簡単に行うことができる番組内容表示装置が記載されている。また、特許文献３では、番組情報を受信して記録し、記録した番組情報から番組ジャンル毎に番組を組み分けし、組み分けされた番組ジャンル種別ごとに当該番組ジャンルに属する番組を番組開始時間順に並べた番組ジャンル別番組情報を構成してモニタ画面に表示するようにした点が記載されている。また、特許文献４には、光ディスク等で提供される番組ガイド情報を読み込み、読み込まれた番組ガイド情報から番組メニューを作成し、これをディスプレイに表示させて視聴者が選択した番組に関する番組ガイド情報データを抜き出し記憶し、このデータをもとに番組の録画予約をして受信した番組を光ディスク中の録画ファイルに記録するとともに、記憶しておいた番組ガイド情報データを録画ファイルと関連づけて、同じ光ディスク中の別のファイルに記録する点が記載されている。
【０００５】
【特許文献１】
特開平９−２９４２３７号公報
【特許文献２】
特開平１１−２６６４０９号公報
【特許文献３】
特開２００１−７８１０７号公報
【特許文献４】
特開２００２−１４０８８２号公報
【０００６】
【発明が解決しようとする課題】
上述した先行技術文献では、予め電子番組表等のデータを取得してこれから見たい番組を簡単に検索できるようにして、提供される数多くの番組の中から自分の嗜好に合った番組を容易に予約録画できるようにされている。しかしながら、複数の番組を予約録画してＤＶＤ等の大容量の記録媒体に録画した後に自分が今見たい番組を記録媒体の中から探し出すための手段がないか十分に取られていないため、記録媒体を順次再生して検索する等時間がかかってしまう。特許文献４では、番組ガイド情報のデータを録画ファイルと関連付けて同じ光ディスクに記録するようにしているが、番組ガイド情報に掲載されていない番組が録画された場合には検索されなくなり、また、番組ガイド情報の一覧を表示するのみでジャンル別に見たい場合等に検索に時間がかかってしまう。さらに、光ディスクに記録された番組ガイド情報をすべて記録しておくため、そのためのメモリ容量を確保しておく必要があり、そのための制御ソフトを作成しなければならない。
【０００７】
そこで、本発明は、簡単な操作により番組情報ファイルを随時更新できるとともに更新された番組情報ファイルを検索時に表示することで、検索を容易に行うことができ検索時間を短縮できる情報記録再生装置を提供することを目的とするものである。
【０００８】
【課題を解決するための手段】
本発明に係る情報記録再生装置は、所定の番組に関する映像情報、音声情報及び付加情報を記憶する記憶部と、前記番組の内容を表示する表示部と、受信された前記番組に関する映像情報、音声情報及び付加情報を前記記憶部に記憶するように制御するとともに前記記憶部から情報を読み出して前記表示部に番組の内容を表示するように制御する制御部と、操作情報入力部とを備えた情報記録再生装置において、前記制御部は、前記操作情報入力部からの録画指示信号又は予約録画指示信号に応答してジャンル指定画面を表示する表示手段と、前記操作情報入力部から入力されたジャンル指定情報を前記付加情報として記憶する記憶手段と、各番組のジャンル指定情報に基づき各番組の付加情報からデータを抽出して作成された番組情報ファイルを新たにジャンル指定情報が入力される毎に更新する更新手段とを備えていることを特徴とする。さらに、前記番組情報ファイルは、ジャンル別に作成されていることを特徴とする。さらに、前記記憶部は、ジャンル分類テーブルを記憶しており、前記表示手段は、ジャンル分類テーブルのデータに基づいてジャンル分類一覧を表示することを特徴とする。さらに、前記ジャンル分類テーブルには、各ジャンルに対応する前記操作情報入力部からのテンキー操作情報が記憶されており、前記記憶手段は、前記操作情報入力部から入力されたテンキー操作情報に基づきジャンル分類テーブルから対応するジャンル指定信号を記憶することを特徴とする。さらに、前記制御部は、前記操作情報入力部から入力されたジャンル分類情報に基づいて前記ジャンル分類テーブルを修正する修正手段を備えていることを特徴とする。
【０００９】
上記のような構成を有することで、録画操作又は予約録画操作を行う際に操作者がジャンル指定情報を入力するようになり、操作者の意図したジャンル別に番組情報ファイルが作成されるため、操作者が見たい番組を容易に検索できるようになる。また、番組情報ファイルは、ジャンル指定情報が入力されると更新されて常に最新の番組情報ファイルが作成されているため、番組情報ファイルの表示を指示してから情報処理を行う必要がなく、直ちに表示することができる。そして、ジャンル別に予め番組がグループ化されていれば、すべての録画ファイルを検索する必要がなくグループ内の録画ファイルだけ検索すればよいため検索時間が大幅に短縮される。
【００１０】
また、ジャンル指定時にジャンル分類一覧を表示すれば、操作者が簡単にジャンル指定情報を選択できるようになり、また正確な情報を入力することが可能となる。さらに、ジャンル指定情報をテンキーと対応付けておけば、より一層操作が簡略化できるようになる。また、ジャンル分類テーブルを操作者が修正できるようにしておくことで、操作者の意図に合ったジャンル分類にカスタマイズすることができ、より一層検索しやすい番組情報ファイルとすることができる。
【００１１】
【発明の実施の形態】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る実施形態の全体ブロック図である。制御部１は、後述する番組情報ファイルの更新や表示のための情報処理を含む全体の情報処理を行い、ＣＰＵを備えている。また、こうした情報処理に必要なプログラムを記憶したり一時的に情報を記憶するためにメモリ部２が設けられており、ＲＯＭ、ＲＡＭ、ＨＤＤ等のメモリを備えている。この例では、後述する記録媒体２１を有する記録装置及びメモリ部２が本発明の記憶部に相当する。
【００１３】
操作者は、公知のリモコン４を操作して操作情報入力部３に操作情報を入力するようになっている。リモコン４には、録画指令や予約録画指令を与えるための各種操作キー、チャンネルの番号等を入力するためのテンキー及び選択キー等が配設されており、キーを操作することにより赤外線信号を発信して操作情報入力部３に操作情報を送信する。
【００１４】
テレビジョン放送される番組に関する情報は、チューナ１０で受信され、音声情報は音声処理回路１１で処理されて例えば内蔵スピーカ１２及び１３から音声出力される。また、映像情報は、映像表示処理回路１４で処理されてモニタ１５に表示出力されるようになる。
【００１５】
番組に関する情報を記録する場合には、まず、チューナ１０で受信された情報が、映像情報についてはビデオデコーダ１６により、また音声情報についてはＡ／Ｄ変換器１７により、アナログデータからデジタルデータに変換されてＭＰＥＧエンコーダ１８に入力される。ＭＰＥＧエンコーダ１８は、入力されたデータをＭＰＥＧフォーマットに符号化して復号器／符号器１９へ送信し、復号器／符号器１９では送信されたデータに対して記録媒体に対応した符号化処理がなされてピックアップ２０から記録媒体２１に記録される。記録媒体としては、ＤＶＤ等の光ディスクが使用される。番組に関する付加情報は、記録された映像ファイルの先頭部に一緒に記録されるか、ＴＯＣ等の情報格納部に別ファイルとして記録される。また、頻繁に使用される付加情報のデータについては、メモリ部２に記憶されるようにしても良い。
【００１６】
記録媒体２１から情報を再生する場合には、まず、記録媒体２１をセットしてピックアップ２０により記録された情報を読み取り、読み取られた情報を復号器／符号器１９により復号化処理して、ＭＰＥＧファーマットに復号化する。復号化されたデータはＭＰＥＧデコーダ２２によりデジタルデータに復号化処理され、映像情報に関するデータはビデオエンコーダ２３により、音声情報に関するデータはＤ／Ａ変換器２４によりアナログデータに変換されてそれぞれ音声処理回路１１及び映像表示処理回路１４に入力されてモニタ１５に表示出力される。
【００１７】
制御部１は、番組情報抽出部３０、更新処理部３１及び表示制御部３２を有しており、メモリ部２には、ジャンル分類テーブル３３及び番組情報ファイル３４が格納されている。  番組情報抽出部３０は、番組情報ファイルの表示及び更新処理に必要なデータを抽出する。抽出するデータとしては、録画操作又は予約録画操作の際に操作情報入力部に入力されたデータの他に、メモリ部２に蓄積されたデータ及び記録媒体に記録された各番組の付加情報から抽出されるデータが挙げられる。また、ジャンル分類テーブル３３の更新処理に必要なデータの抽出も行う。更新処理部３１では、抽出された情報に基づいて番組情報ファイル３４の更新を行うとともにジャンル分類テーブル３３の更新処理も行う。表示制御部３２は、番組抽出部３０で抽出された番組情報を用いてモニタ１５にジャンル別に表示するように制御し、録画操作又は予約録画操作の際のジャンル指定画面の表示制御、ジャンル分類の更新処理等の際の分類データの画面表示制御等についても行う。
【００１８】
ジャンル分類テーブル３３は、テンキーの１〜１２に対応してジャンルのタイトルを登録することができる。例えば、「映画」、「ニュース」、「ドラマ」といった一般的なジャンル登録の他に「映画（ＳＦ）」、「映画（アニメ）」・・・といったように操作者が録画するジャンルに合せて細分化した分類で登録することができ、また修正もできるため、カスタマイズした分類テーブルとすることが可能となっている。番組情報ファイル３４は、録画操作時に入力される録画日時、放送事業者識別コード、チャンネル番号、ジャンル指定情報が各番組毎に蓄積されている。必要に応じて、ＥＰＧから番組のタイトル名等の情報を蓄積してもよい。そして、ジャンル別にグループ化されて記憶されている。
【００１９】
次に、録画操作時の処理フローを図２に従い説明する。まず、操作者がリモコン４の録画キーを操作すると、操作情報入力部３に録画指令信号が入力され、操作情報入力部３から制御部１に録画指令信号が送信される。制御部１は、録画指令信号を受信すると、録画モードを開始する（Ｓ１００）。そして、図３（ａ）に示すように、モニタ１５の画面右上に「録画」と表示する。次に、ジャンル指定モードを開始して（Ｓ１０１）、表示制御部３２がジャンル指定画面を表示する（Ｓ１０２）。ジャンル指定画面は、図３（ｂ）に示すように、ジャンルに対応するテンキーの入力を促すようにするもの又は図３（ｃ）に示すように、ジャンル分類テーブル３３のデータを抽出してジャンル分類一覧を表示して選択するようにしてもよい。
【００２０】
ジャンル指定画面が表示されると、設定タイマがカウントを開始する（Ｓ１０３）。そして、テンキーの操作情報が入力されたかチェックされる（Ｓ１０４）。入力されない場合には、設定タイマのカウントが終了しているかチェックされる（Ｓ１０５）。設定タイマの設定時間以内にテンキーの操作情報が入力された場合には、番組情報抽出部３０でテンキーの操作情報からジャンル分類テーブル３３により対応するジャンル指定情報を設定して番組の付加情報として記憶する（Ｓ１０６）。設定タイマの設定時間内にテンキーの操作情報が入力されないと、ジャンル指定情報を「その他」に設定して番組の付加情報として記憶する（Ｓ１０７）。
【００２１】
ジャンル指定情報が確定すると、設定タイマのカウントをクリアする（Ｓ１０８）。そして、操作者が録画終了操作を行うと（Ｓ１０９）、番組の付加情報として録画日時、放送事業者識別コード、チャンネル番号等が記憶される（Ｓ１１０）。次に、新たに録画された番組に関する付加情報も含めて番組情報を抽出して（Ｓ１１１）更新処理部３１で新たにジャンル別の番組情報ファイル３４を作成し、メモリ部２に記憶された番組情報ファイルを更新する（Ｓ１１２）。
【００２２】
以上のように、録画操作が行われる毎に録画される番組のジャンル指定が行われ、新たに録画された番組情報を含めた番組情報ファイルが常に更新されるようになっている。
【００２３】
記憶された番組を再生する場合には、図４に示す処理フローにより行う。まず、操作者がリモコン４の再生キーを操作すると、操作情報入力部３に再生指令信号が入力され、操作情報入力部３から制御部１に再生指令信号が送信される。制御部１は、再生指令信号を受信すると、再生モードを開始する（Ｓ２００）。再生モードが開始されると、番組情報ファイル３４から番組情報が抽出され（Ｓ２０１）、ジャンル別のファイル数が算出されて図５に示すようなジャンル別ファイル数一覧が画面表示される（Ｓ２０２）。既に更新処理された番組情報ファイルが存在するので、直ちに表示することができ、またジャンル別のファイル数がわかるので検索も容易になる。操作者はリモコン４の選択キーを操作して該当するジャンルにカーソルを移動して決定キーを操作すると（Ｓ２０３）、選択されたジャンル内のファイル一覧が図６（ａ）〜（ｃ）に示すように画面表示される（Ｓ２０４）。例えば、図６（ａ）に示すように映画のジャンルを選択した場合には、録画日時順に表示されてその中で見たい映画のファイルをリモコン４の選択キーで選択すれば（Ｓ２０５）選択されたファイルについて再生動作が始まる（Ｓ２０６）。
【００２４】
このように予めジャンル別に絞り込んで一覧表示されるので、記憶されたファイルが多くても簡単に見たいファイルを選択することができる。そして、ジャンル分類は操作者によってカスタマイズでき、さらにジャンル選択を操作者自身が行っているので、ジャンル選択に操作者が迷うことはなく速やかに選択することができる。
【００２５】
また、ジャンル別に番組情報ファイルを作成しておいた場合でも、必要に応じて録画日順や放送事業者別に表示したり、予め番組のタイトルを抽出して番組情報ファイルに記憶しておけばタイトルでソートをかけて表示することも可能となる。
【００２６】
図７は、予約録画時の処理フローを示している。まず、操作者がリモコン４の予約録画キーを操作すると、操作情報入力部３に予約録画指令信号が入力され、操作情報入力部３から制御部１に予約録画指令信号が送信される。制御部１は、予約録画指令信号を受信すると、予約録画モードを開始する（Ｓ３００）。そして、予約日、予約開始時間及び終了時間、放送事業者識別コード、チャンネル番号及び録画モードといった予約情報を入力するための入力画面を表示する（Ｓ３０１）。予約情報がすべて入力されたかチェックし（Ｓ３０２）、すべて入力されるとジャンル指定画面（例えば図３（ｃ）参照）が表示される（Ｓ３０３）。該当するジャンルに対応するテンキーの操作情報が入力されたかチェックされ（Ｓ３０４）、入力されない場合にはＳ３０１の予約情報入力画面に戻る。入力された場合には、テンキーに対応するジャンル指定情報を分類テーブルから読み出して予約録画する番組の付加情報として設定される（Ｓ３０６）。新たなジャンル指定情報が設定されると、記憶された番組の付加情報からデータを抽出してジャンル別に番組情報ファイル３４が更新処理される（Ｓ３０６）。
【００２７】
そして、予約設定の追加指示があるかチェックされ（Ｓ３０７）、追加指示がある場合にはＳ３０１の予約情報入力画面に戻る。追加指示がない場合には、予約スタンバイキーが入力されたかチェックされ（Ｓ３０８）、スタンバイキーが入力されると予約録画待機モードに入り（Ｓ３０９）、スタンバイキーが入力されない場合には通常動作モードに設定される（Ｓ３１０）。
【００２８】
以上のように、予約録画時にジャンル指定が行われ、新たに入力されたジャンル指定情報に基づいて番組情報ファイルが更新処理されるので、予約録画を確認する場合に直ちにジャンル別に画面表示を行うことができるようになる。
【００２９】
図８には、ジャンル分類テーブル３３の分類データを修正するための処理フローを示している。まず、操作者がリモコン４を操作してメニュー画面（図９（ａ）参照）を画面表示し、「ジャンル設定」項目を選択する。「ジャンル設定」項目の選択に応答して制御部１は、ジャンル分類設定モードを開始する（Ｓ４００）。そして、ジャンル分類テーブル３３から分類データが抽出され（Ｓ４０１）、ジャンル分類一覧（図９（ｂ）参照）が表示される（Ｓ４０２）。ジャンル分類は、リモコン４のテンキー（１〜１２）に対応して登録されており、ジャンル分類が登録されていないテンキーには「なし」が初期設定されている。
【００３０】
次に、修正するジャンル分類が選択されたかチェックされ（Ｓ４０３）、修正するジャンル分類が選択されると、分類タイトルが入力されたかチェックされる（Ｓ４０４）。図９（ｃ）に示すように、テンキー「６」を選択して分類タイトルとして「スポーツ」を入力されると、分類データとしてジャンル分類テーブル３３に登録される（Ｓ４０５）。
【００３１】
以上のように、操作者が適宜分類データを修正できるので、操作者の録画するジャンルに対応したジャンル分類を設定することが可能となる。
【００３２】
【発明の効果】
以上に説明したとおり、本発明では、録画操作又は予約録画操作を行う際に操作者がジャンル指定情報を入力するようになり、操作者の意図したジャンル別に番組情報ファイルが作成されるため、操作者が見たい番組を容易に検索できるようになる。また、番組情報ファイルは、ジャンル指定情報が入力されると更新されて常に最新の番組情報ファイルが作成されているため、番組情報ファイルの表示を指示してから情報処理を行う必要がなく、直ちに表示することができる。そして、ジャンル別に予め番組がグループ化されていれば、すべての録画ファイルを検索する必要がなくグループ内の録画ファイルだけ検索すればよいため検索時間が大幅に短縮される。
【００３３】
また、ジャンル指定時にジャンル分類一覧を表示すれば、操作者が簡単にジャンル指定情報を選択できるようになり、また正確な情報を入力することが可能となる。さらに、ジャンル指定情報をテンキーと対応付けておけば、より一層操作が簡略化できるようになる。また、ジャンル分類テーブルを操作者が修正できるようにしておくことで、操作者の意図に合ったジャンル分類にカスタマイズすることができ、より一層検索しやすい番組情報ファイルとすることができる。
【図面の簡単な説明】
【図１】本発明に係る実施形態の全体ブロックの概略図である。
【図２】本発明に係る実施形態の録画操作時の処理フローである。
【図３】本発明に係る実施形態の録画操作時の画面表示に関する説明図である。
【図４】本発明に係る実施形態の再生操作時の処理フローである。
【図５】本発明に係る実施形態の再生操作時の画面表示に関する説明図である。
【図６】本発明に係る実施形態の再生操作時の画面表示に関する説明図である。
【図７】本発明に係る実施形態の予約録画時の処理フローである。
【図８】本発明に係る実施形態のジャンル分類データ修正に関する処理フローである。
【図９】本発明に係る実施形態のジャンル分類データ修正時の画面表示に関する説明図である。
【符号の説明】
１    制御部
２    メモリ部
３    操作情報入力部
４    リモコン
１０    チューナ
１５    モニタ
２０    ピックアップ
２１    光ディスク
３０    番組情報抽出部
３１    更新処理部
３２    表示制御部
３３    ジャンル分類デーブル
３４    番組情報ファイル
【図１】
2004280896.tif 000003
【図２】
2004280896.tif 000004
【図３】
2004280896.tif 000005
【図４】
2004280896.tif 000006
【図５】
2004280896.tif 000007
【図６】
2004280896.tif 000008
【図７】
2004280896.tif 000009
【図８】
2004280896.tif 000010
【図９】
2004280896.tif 000011